(57)【要約】      （修正有）【課題】時分割多重（TDD）モードにおけるバンド間キャリアアグリゲーション（CA）を改善する方法及び装置を提供する。【解決手段】時分割多重（TDD）モードにおけるユーザー端末（UE）のバンド間キャリアアグリゲーション（CA）のための方法であって、ユーザー端末をプライマリサービングセル（PCell）に接続するステップ、UEを無効化された少なくとも１つのSCell（セカンダリサービングセル）に配置し、PCell及び前記少なくとも１つのSCellのTDDアップリンク‐ダウンリンク（UL−DL）配置が異なり得るステップ、及びdrx-InactivityTimerの連続的なPDCCHサブフレームを定義するように、有効化されたサービングセルのTDD  UL−DL配置を考慮に入れ、無効化されたサービングセルのTDD  UL−DL配置を考慮に入れないステップを含む方法。【選択図】図５
2012257243.tif 000002
【特許請求の範囲】
【請求項１】
時分割多重（TDD）モードにおけるユーザー端末（UE）のバンド間キャリアアグリゲーション（CA）のための方法であって、
前記ユーザー端末をプライマリサービングセル（PCell）に接続するステップ、
前記UEを無効化された少なくとも１つのSCell（セカンダリサービングセル）に配置し、前記PCell及び前記少なくとも１つのSCellのTDD  アップリンク‐ダウンリンク（UL−DL）配置が異なり得るステップ、及び
drx-InactivityTimerの連続的なPDCCHサブフレームを定義するように、有効化されたサービングセルのTDD  UL−DL配置を考慮に入れ、無効化されたサービングセルのTDD  UL−DL配置を考慮に入れないステップを含む方法。
【請求項２】
前記drx-InactivityTimerを定義するPDCCHサブフレームは、全ての有効化されたサービングセルのPDCCHサブフレームの集合と等しい請求項１に記載の方法。
【請求項３】
drx-InactivityTimerの連続的なPDCCHサブフレームを定義するように考慮に入れられた前記有効化されたサービングセルのTDD  UL−DL配置は、PDCCHが配置される請求項１に記載の方法。
【請求項４】
前記PCellのTDD  UL−DL配置に基づいてonDurationTimerの連続的なPDCCHサブフレームを定義するステップを更に含む請求項１に記載の方法。
【請求項５】
前記drx-RetransmissionTimerと関連したHARQプロセスを持つサービングセルのTDD  UL−DL配置に基づいて、drx-RetransmissionTimerの連続的なPDCCHサブフレームを定義するステップを更に含む請求項１に記載の方法。
【請求項６】
前記drx-RetransmissionTimerと関連したHARQプロセスを持つサービングセルのスケジューリングセルのTDD  UL−DL配置に基づいて、drx-RetransmissionTimerの連続的なPDCCHサブフレームを定義するステップを更に含む請求項１に記載の方法。
【請求項７】
前記drx-RetransmissionTimerは、前記対応するSCellが無効化された時、停止される請求項５に記載の方法。
【請求項８】
前記drx-RetransmissionTimerは、前記対応するスケジューリングセルが無効化された時、停止される請求項６に記載の方法。
【請求項９】
前記PCellは常に有効化されるものと考慮される請求項１に記載の方法。
【請求項１０】
SCellは、有効化／無効化メディアアクセス制御（MAC）の制御要素（CE）によって有効化、または無効化され得る請求項１に記載の方法。
【請求項１１】
時分割多重（TDD）モードにおけるユーザー端末（UE）のバンド間キャリアアグリゲーション（CA）のための通信装置であって、前記通信装置は、
制御回路、
前記制御回路に設置されたプロセッサ、及び
前記制御回路に設置され、前記プロセッサに接続されたメモリを含み、
前記プロセッサは、メモリに保存されたプログラムコードを実行するように配置され、
前記ユーザー端末をプライマリサービングセル（PCell）に接続するステップ、
前記UEを無効化された少なくとも１つのSCell（セカンダリサービングセル）に配置し、前記PCell及び前記少なくとも１つのSCellのTDD  アップリンク‐ダウンリンク（UL−DL）配置が異なり得るステップ、及び
drx-InactivityTimerの連続的なPDCCHサブフレームを定義するように、有効化されたサービングセルのTDD  UL−DL配置を考慮に入れ、無効化されたサービングセルのTDD  UL−DL配置を考慮に入れないステップを含んで、バンド間キャリアアグリゲーションを実施する通信装置。
【請求項１２】
前記drx-InactivityTimerを定義するPDCCHサブフレームは、全ての有効化されたサービングセルのPDCCHサブフレームの集合と等しい請求項１１に記載の通信装置。
【請求項１３】
drx-InactivityTimerの連続的なPDCCHサブフレームを定義するように考慮に入れられた前記有効化されたサービングセルのTDD  UL−DL配置は、PDCCHが配置される請求項１１に記載の通信装置。
【請求項１４】
前記PCellのTDD  UL−DL配置に基づいてonDurationTimerの連続的なPDCCHサブフレームを定義することを更に含む請求項１１に記載の通信装置。
【請求項１５】
前記drx-RetransmissionTimerと関連したHARQプロセスを持つサービングセルのTDD  UL−DL配置に基づいて、drx-RetransmissionTimerの連続的なPDCCHサブフレームを定義することを更に含む請求項１１に記載の通信装置。
【請求項１６】
前記drx-RetransmissionTimerと関連したHARQプロセスを持つサービングセルのスケジューリングセルのTDD  UL−DL配置に基づいて、drx-RetransmissionTimerの連続的なPDCCHサブフレームを定義することを更に含む請求項１１に記載の通信装置。
【請求項１７】
前記drx-RetransmissionTimerは、前記対応するSCellが無効化された時、停止される請求項１５に記載の通信装置。
【請求項１８】
前記drx-RetransmissionTimerは、前記対応するスケジューリングセルが無効化された時、停止される請求項１６に記載の通信装置。
【請求項１９】
前記PCellは常に有効化されるものと考慮される請求項１１に記載の通信装置。
【請求項２０】
SCellは、有効化／無効化メディアアクセス制御（MAC）の制御要素（CE）によって有効化、または無効化され得る請求項１１に記載の通信装置。
【発明の詳細な説明】
【技術分野】
【０００１】
本発明は、無線通信ネットワークに関し、特に、時分割多重（Time  Division  Duplex；  TDD）モードにおけるバンド間キャリアアグリゲーション（CA）を改善する方法及び装置に関するものである。
【背景技術】
【０００２】
モバイル通信装置間の大量のデータ通信のための需要が急上昇していることに伴って、従来のモバイル音声通信ネットワークは、インターネットプロトコル（IP）データパケットと通信するネットワークに発展した。このようなIPデータパケット通信は、ユーザーにボイスオーバーIP、マルチメディア、マルチキャスト、及びオンデマンド通信サービスを備えるモバイル通信装置を提供し得る。
【０００３】
標準化が現在行われている模範的なネットワーク構造は、進化型ユニバーサル地上無線アクセスネットワーク（Evolved  Universal  Terrestrial  Radio  Access  Network；E-UTRAN）である。E-UTRANシステムは、上述のボイスオーバーIP及びマルチメディアサービスを実行するために、高データスループットを提供し得る。E-UTRANシステムの標準化作業は、３GPP標準化機関によって現在行われている。よって、３GPP標準化の現在の機関への移行が目下、検討されており、３GPP標準化を発展させることを図っている。
【発明の概要】
【発明が解決しようとする課題】
【０００４】
時分割多重（TDD）モードにおけるバンド間キャリアアグリゲーション（CA）を改善する方法及び装置を提供する。
【課題を解決するための手段】
【０００５】
本発明は、時分割多重（TDD）モードにおけるユーザー端末（UE）のバンド間キャリアアグリゲーション（CA）を改善する方法及び装置を提供する。１つの実施形態では、前記方法は、ユーザー端末をプライマリサービングセル（PCell）に接続するステップを含む。前記方法は、UEを少なくとも１つのSCell（セカンダリサービングセル）に配置するステップを更に含み、その中の少なくとも１つのSCellは無効化され、PCell及び少なくとも１つのSCellのTDD  アップリンク‐ダウンリンク（UL−DL）配置が異なることができる。前記方法は、drx-InactivityTimerの連続的なPDCCHサブフレームを定義するように、有効化されたサービングセルのTDD  UL−DL配置を考慮に入れ、無効化されたサービングセルのTDD  UL−DL配置を考慮に入れないステップも含む。
【図面の簡単な説明】
【０００６】
【図１】１つの実施形態に基づく、無線通信システムの図を表している。
【図２】１つの実施形態に基づく、送信システム（アクセスネットワークとも知られる）及び受信システム（ユーザー端末またはUEとも知られる）のブロック図である。
【図３】１つの実施形態に基づく、通信装置の機能ブロック図である。
【図４】１つの実施形態に基づく、図３のプログラムコードの機能ブロック図である。
【図５】１つの実施形態に基づく、流れ図を示している。
【発明を実施するための形態】
【０００７】
以下に述べられる模範的な通信システム及び装置は、放送サービスをサポートする。無線通信システムは、例えば、音声、データなどの各種の通信を提供するのに広く用いられる。これらのシステムは、符号分割多重接続（CDMA）、時分割多元接続（TDMA）、直交周波数分割多重接続（OFDMA）、３GPPロングタームエボリューション（Long  Term  Evolution；LTE）無線アクセス、３GPP  ロングタームエボリューションアドバンスト（LTE-A）、３GPP２  ウルトラモバイルブロードバンド（UMB）、ワイマックス（WiMax）、または他の変調技術に基づくことが可能である。
【０００８】
特に、以下叙述された例示的な無線通信システム装置は、１つ以上の標準、例えばここでは３GPPと称する「第３世代移動体通信システムの標準化プロジェクト（3rd  Generation  Partnership  Project）」  という名称のコンソーシアムによって提供される標準を支援するように制定されることができ、文書番号RP-110451、「WID：  LTE  キャリアアグリゲーションの強化（enhancement）;  TS  36.211  V10.1.0、「E-UTRA物理チャネル及び変調」（E-UTRA  Physical  channel  and  modulation）;    TS  36.321  V10.1.0,  「メディアアクセス制御プロトコル仕様（MAC  protocol  specification  ）（第１０版）」;  及びTS  36.331  V10.1.0,  「無線リソース制御プロトコル仕様（RRC  protocol  specification）（第１０版）」を含む。上述の標準と文書は、ここに明示的に組み込まれる。
【０００９】
図１は、本発明の１つの実施形態に基づく、多重アクセス無線通信システムの図を表している。アクセスネットワーク１００（AN）は、１つは１０４と１０６を含み、もう１つは１０８と１１０を含み、またもう１つは１１２と１１４を含む多重アンテナグループを含む。図１では、２つのアンテナのみが各アンテナグループに表されているが、それより多い、または少ないアンテナが各アンテナグループに用いられてもよい。アクセス端末（AT）１１６は、アンテナ１１２及び１１４と通信し、アンテナ１１２及び１１４は、フォワードリンク１２０を通じて情報をアクセス端末１１６に送信し、リバースリンク１１８を通じて情報をアクセス端末１１６から受信する。アクセス端末（AT）１２２は、アンテナ１０６及び１０８と通信し、アンテナ１０６及び１０８は、フォワードリンク１２６を通じて情報をアクセス端末（AT）１２２に送信し、リバースリンク１２４を通じて情報をアクセス端末（AT）１２２から受信する。FDDシステムでは、通信リンク１１８、１２０、１２４、及び１２６は、通信に異なる周波数を用いてもよい。例えば、フォワードリンク１２０は、リバースリンク１１８で用いられる周波数と異なる周波数を用いることができる。
【００１０】
アンテナの各グループ及び／または通信用に設計された領域は、通常、アクセスネットワークのセクタと呼ばれる。実施形態では、それぞれのアンテナのグループは、アクセスネットワーク１００によって覆われた領域のセクタのアクセス端末と通信するように設計される。
【００１１】
フォワードリンク１２０を用いる通信では、アクセスネットワーク１００の送信アンテナは、異なるアクセス端末１１６及び１２２のフォワードリンクの信号対雑音比を改善するために、ビーム形成を用いることができる。また、ビーム形成を用いてその受信可能範囲中にランダムに分散されたアクセス端末に送信するアクセスネットワークは、単一アンテナによって全てのそのアクセス端末に送信するアクセスネットワークよりも、隣接のセルに位置するアクセス端末に対して干渉を低減する。
【００１２】
アクセスネットワーク（AN）は、端末と通信するのに用いられる固定局または基地局であることができ、アクセスポイント、ノードB（Node  B）、基地局、エンハンスド基地局（enhanced  base  station）、エンハンスドノードB（eNodeB）、または他のいくつかの技術用語で呼ばれることもできる。アクセス端末（AT）は、ユーザー端末（UE）、無線通信装置、端末、アクセス端末、またはいくつかの他の技術用語で呼ばれることもできる。
【００１３】
図２は、多入力多出力（Multiple-Input  Multiple-Output；MIMO）システム２００内の送信システム２１０（アクセスネットワークとも知られる）及び受信システム２５０（アクセス端末（AT）またはユーザー端末（UE）とも知られる）の模範的な実施形態の基本ブロック図である。送信システム２１０では、複数のデータストリームのトラフィックデータは、データソース２１２から送信（TX）データプロセッサ２１４に提供される。
【００１４】
１つの実施形態において、各データストリームは、対応する送信アンテナ上に伝送される。TXデータプロセッサ２１４は、コード化されたデータを提供するデータストリームに選択された特定のコード体系に基づき、各データストリームのトラフィックデータをフォーマット化し、コード化して、インターリーブする。
【００１５】
各データストリームのコード化されたデータは、OFDM技術を用いてパイロットデータで多重化され得る。パイロットデータは、一般的に従来の方式で処理される従来のデータパターンであり、受信システムに用いられてチャネル応答を推定し得る。次いで、各データストリームの多重化されたパイロット及びコード化されたデータは、変調シンボルを提供する各データストリームに選択された特定の変調方式（例えば、BPSK、QPSK、  M-PSK、またはM-QAM）に基づき、変調される（即ち、シンボルマップされる（symbol  mapped））。各データストリームのデータ転送速度、コーディング、及び変調は、プロセッサ２３０によって実行される命令によって決定され得る。
【００１６】
次いで、全てのデータストリームの変調シンボルは、TX  MIMOプロセッサ２２０に提供され、変調シンボルを更に処理し得る（例えばOFDMの）。次いで、TX  MIMOプロセッサ２２０は、NT変調シンボルストリームをNT送信機（TMTR）２２２a〜２２２tに提供する。ある実施形態において、TX  MIMOプロセッサ２２０は、ビーム形成重量をデータストリームのシンボルに、且つシンボルが伝送されているアンテナに用いている。
【００１７】
各送信機２２２は、各々のシンボルストリームを受けて処理し、１つ以上のアナログ信号を提供し、アナログ信号を更に調整（例えば増幅、フィルタリング、及びアップコンバート）して、伝送に好適に変調された信号をMIMOチャネルに提供する。次いで、送信機２２２a〜２２２tのNT変調信号は、それぞれNTアンテナ２２４a〜２２４tから伝送される。
【００１８】
受信システム２５０では、伝送された変調信号は、NRアンテナ２５２a〜２５２rによって受けられ、各アンテナ２５２から受信した信号は、各々の受信機（RCVR）２５４a〜２５４rに提供される。各受信機２５４は、各々の受信した信号を調整（例えば増幅、フィルタリング、及びアップコンバート）して、調整された信号をデジタル化してサンプルに提供し、サンプルを処理して対応する「受信した」シンボルストリームを提供する。
【００１９】
次いで、RXデータプロセッサ２６０は、特定の受信機処理技術に基づき、NR受信機２５４からNR受信シンボルストリームを受けて処理し、NT「検出した」シンボルストリームを提供する。次いで、RXデータプロセッサ２６０は、各検出されたシンボルストリームを再変調し、インターリーブし、デコードしてデータストリームのトラフィックデータを復元する。RXデータプロセッサ２６０による処理は、送信システム２１０でTX  MIMOプロセッサ２２０及びTX  データプロセッサ２１４によって実行される処理と相補的である。
【００２０】
プロセッサ２７０は、どのプリコーディングマトリクスを用いるかを周期的に決定する（後述される）。プロセッサ２７０は、マトリクスインデックス（matrix  index）部分とランク値（rank  value）部分を含む逆方向リンクメッセージを定式化（formulate）する。
【００２１】
逆方向リンクメッセージは、通信リンク及び／または受けたデータストリームに関する情報の種々のタイプを含み得る。次いで、逆方向リンクメッセージは、データソース２３６から複数のデータストリームのトラフィックデータも受けるTX  データプロセッサ２３８によって実行され、変調器２８０によって変調され、受信機２５４a〜２５４rによって調整されて受信機システム２１０に返送される。
【００２２】
送信システム２１０では、受信システム２５０からの変調された信号は、アンテナ２２４によって受信され、受信機２２２によって調整され、復調器２４０によって復調され、RXデータプロセッサ２４２によって処理され、受信システム２５０によって伝送された逆リンクメッセージを抽出する。次いで、プロセッサ２３０は、ビーム形成重量を決めるのに、どのプリコーディングマトリクスを用いるかを決め、次いで抽出されたメッセージを処理する。
【００２３】
図３を用いて説明する。この図は、本発明の１つの実施形態に基づく、通信装置の代替的な簡略化した機能的なブロック図を表している。図に示されるように、無線通信システムの通信装置３００は、図１のUE（またはAT）１１６及び１２２を実行するのに用いられることができ、無線通信システムは、LTEシステムが好ましい。通信装置３００は、入力デバイス３０２、出力デバイス３０４、制御回路３０６、中央処理装置（CPU）３０８、メモリ３１０、プログラムコード３１２、及び送受信機３１４を含み得る。制御回路３０６は、CPU３０８によってメモリ３１０のプログラムコード３１２を実行して、通信装置３００の動作を制御する。通信装置３００は、キーボードまたはキーパッドなどの入力デバイス３０２を介してユーザーによって入力した信号を受信し、出力デバイス３０４を介して、モニタまたはスピーカなどの画像及び音声を出力し得る。送受信機３１４は、無線信号を受信及び送信するのに用いられ、受信した信号を制御回路３０６に送り、無線で制御回路３０６によって発生された信号を出力する。
【００２４】
図４は、本発明の１つの実施形態に基づく、図３に示されたプログラムコード３１２の機能ブロック図である。本実施形態では、プログラムコード３１２は、アプリケーション層４００、第３層４０２、及び第２層４０４を含み、第１層４０６に接続される。第３層４０２は、通常、無線リソース制御を行う。第２層４０４は、通常、リンク制御を行う。第１層４０６は、通常、物理接続を行う。
【００２５】
３GPP  RP-１１０４５１に述べられるように、LTEキャリアアグリケーション（CA）の強化のための作業項目（WI）がRAN#５１会議で同意されている。このWIの２つの目標は：
（a）LTEアップリンクキャリアアグリケーションの状況において多重タイミングアドバンス（multiple  timing  advances）の使用をサポートし、且つ
（b）異なるバンド上で異なるアップリンク‐ダウンリンク配置を含む時分割多重（Time  Division  Duplex；  TDD）アップリンク（UL）及びダウンリンク（DL）のバンド間キャリアアグリゲーションをサポートする。
【００２６】
３GPP  TS３６.２１１に述べられるように、TDDアップリンク‐ダウンリンク配置のサブフレーム構造が以下の表１に示される。
【００２７】
【表１】
2012257243.tif 000003
【００２８】
上方の表１では、無線フレームの各サブフレームでは、「D」は、サブフレームがダウンリンク伝送用に保留されていることを示し、「U」は、サブフレームがアップリンク伝送用に保留されていることを示し、且つ「S」は、３つのフィールド、ダウンリンクパイロットタイムスロット（DwPTS）、ガードピリオド（GP）、及びアップリンクパイロットタイムスロット（UpPTS）の特定のサブフレームを示している。
【００２９】
また、TS３６.３２１の第３.１節は、下記のように、不連続受信（DRX動作）を討論している：
−アクティブ時間（active  time）は、ユーザー端末が物理ダウンリンク制御チャネル（PDCCH）サブフレームでPDCCHをモニター中のDRX動作に関連する時間である。  
−不連続受信−インアクティビティタイマー（InactivityTimer）は、このユーザー端末用に初期のULまたはDLユーザーデータ伝送を示すPDCCHをデコーディングすることに成功した後、連続したPDCCH−サブフレームの数を明示する。  
−不連続受信−再送信タイマー（RetransmissionTimer）は、DL再送信がユーザー端末によって予期されると、連続したPDCCH−サブフレームの最大数を明示する。  
−オンデュレーションタイマー（onDuration  timer）は、DRXサイクルの開始に、連続したPDCCH−サブフレームの数を明示する。  
−PDCCH−サブフレームは、物理ダウンリンク制御チャネルを有するサブフレームを指すか、またはリバースパケットデータ制御チャネルが配置されて一時停止されない中継ノード（Relay  Nord；  RN）用のリバースパケットデータ制御チャネルを有するサブフレームを指す。周波数分割多重ユーザー端末の動作では、これは任意のサブフレームを示し、時分割多重では、ダウンリンクサブフレーム及びダウンリンクパイロットタイムスロット（Downlink  Pilot  Time  Slot；DwPTS）を含むサブフレームのみを示す。E-UTRANとのその通信で、且つ中継ノードのサブフレーム配置が配置されて一時停止されない中継ノードでは、これは全てのダウンリンクサブフレームがE-UTRANとの中継ノード通信をするように配置されることを示す。
【００３０】
米国仮出願番号第６１／４８３、４８７号及び米国出願連続番号第１３／４６４、４７２号は、異なるTDD  UL−DL配置がユーザー端末に集合された時のDRXタイマーに関連した議題に対応している。一般的に、議題は、DRXタイマー（例えば、onDurationTimer,  drx-InactivityTimer,  drx-RetransmissionTimer）の連続的なPDCCH-サブフレームの定義に関することである。１つのDRX配置だけがCAに用いられている時、本願は、DRXタイマーの連続的なPDCCH-サブフレームを定義するいくつかの方法を提案する。提案された方法は、セカンダリサービングセル（SCell）の有効化／無効化（activation/deactivation）の状態を考慮していない。
【００３１】
ある状況では、TS３６.３２１に基づいて、無効化されたSCellのPDCCHサブフレームと重なるPDCCHサブフレームを有する他の有効されたセルがない場合、UEは、無効化されたSCell  のPDCCHサブフレームにスケジュール（schedule）されないため、DRXタイマーの連続的なPDCCHサブフレームを定義する時、無効化されたSCell  のTDD  UL−DL配置を参照することは、適当でない可能性がある。よって、特にdrx-InactivityTimer  を用いる状況では、これらのPDCCHサブフレームはスケジュールされることができないものの、DRXタイマーは、無効化されたSCell  のPDCCHサブフレームの期間内、減少されるため、無効化されたSCell  のTDD  UL−DL配置を考慮に入れることはUEのスケジューリング機会を減少する可能性がある。onDurationTimer及び  drx-RetransmissionTimerに対してはこのような考慮は不要であろう。
【００３２】
TS３６.３２１で述べられるように、一般的にdrx-InactivityTimerは、UEの初期のULまたはDLのユーザーデータ伝送を示しているPDCCHをうまくデコーディングした後、UEが連続的なPDCCHサブフレームの数をモニタ（monitor）する必要があることを明確に述べている。また、eNBは、PDCCHが配置された任意の有効なサービングセルの任意のPDCCHサブフレームにUEをスケジュールすることができることが予期され得る。よって、drx-InactivityTimerの連続的なPDCCHサブフレームを定義する時、全てのPDCCHを有する有効なサービングセルのTDD  UL−DL配置を考慮することは合理的である。
【００３３】
また、TS３６.３２１で述べられるように、一般的にonDurationTimerの主な目的は、ある非アクティブな周期の後にeNBがDL伝送を開始できるようにUEに周期的にPDCCHをモニタさせることである。この目的を達成するために、onDurationTimerがPCellのTDD  UL−DL配置に基づいて定義されることが十分と考えられる。ほとんどの場合、PCellのみが有効化のままである。よって、この方法は、簡単且つ十分である。潜在的な懸念は、eNBがOn_Duration周期中にPDCCH伝送を有効化されたSCellに送信できない可能性があることである。
【００３４】
１つのHARQプロセス毎にdrx-RetransmissionTimerがあり、且つ異なるサービングセルが異なるHARQプロセスを有する（TS３６.３２１で述べられるように）ため、drx-RetransmissionTimerが対応するサービングセルまたは対応するサービングセルのスケジューリングセルのTDD  UL−DL配置を参照することは合理的である。また、対応するサービングセルまたは対応するサービングセルのスケジューリングセルが無効化された時、drx-RetransmissionTimerを停止することが好ましい。
【００３５】
図５は、１つの実施形態に基づく、流れ図５００を示している。ステップ５０５では、UEは、PCellに接続されている。１つの実施形態では、PCellは常に有効化されている。ステップ５１０では、UEは、１つ以上のSCellが配置されている。これらのSCellは、無効化されている少なくとも１つのSCellを含む。また、接続されたPCellと配置されたSCellのTDD  UL−DL配置は、異なる可能性がある。１つの実施形態では、SCellは、有効化／無効化メディアアクセス制御（MAC）の制御要素（CE）によって有効化、または無効化され得る。
【００３６】
図５を再度参照すると、ステップ５１５では、有効化されたサービングセルのTDD  UL−DL配置は、drx-InactivityTimerの連続的なPDCCHサブフレームを定義するように考慮に入れられる。しかしながら、無効化されたサービングセルのTDD  UL−DL配置は、考慮に入れられない。１つの実施形態では、drx-InactivityTimerの連続的なPDCCHサブフレームを定義するように考慮された、有効化されたサービングセルは、PDCCHが配置される。また、drx-InactivityTimerを定義するPDCCHサブフレームは、全ての有効化されたサービングセルのPDCCHサブフレームの集合と等しい。また、drx-RetransmissionTimerの連続的なPDCCHサブフレームは、drx-RetransmissionTimerと関連したHARQプロセスを持つサービングセルまたはサービングセルのスケジューリングセルのTDD  UL−DL配置に基づいて定義されることができる。また、drx-RetransmissionTimerは、対応するSCellまたは対応するスケジューリングセルが無効化された時、停止される。また、onDurationTimerの連続的なPDCCHサブフレームは、接続されたPCellのTDD  UL−DL配置に基づいて定義されることができる。
【００３７】
図３及び４を再度参照すると、UE３００は、メモリ３１０に保存されたプログラムコード３１２を含む。１つの実施形態では、CPU３０８は、プログラムコード３１２を実行し、（a）UEをPCell（プライマリサービングセル）に接続し、（b）UEを少なくとも１つのSCell（セカンダリサービングセル）に配置し、その中の少なくとも１つのSCellは、無効化され、PCell及び少なくとも１つのSCellのTDD  アップリンク‐ダウンリンク（UL−DL）配置は異なることができ、且つ（c）drx-InactivityTimerの連続的なPDCCHサブフレームを定義するように、有効化されたサービングセルのTDD  UL−DL配置を考慮に入れ、無効化されたサービングセルのTDD  UL−DL配置を考慮に入れないことができる。
【００３８】
また、CPU３０８は、プログラムコード３１２を実行して、全ての上述の動作及びステップ、またはここに述べられた他の内容を実行することができる。
【００３９】
この開示の種々の態様は上記に記述されている。ここでの教示が種々様々の形式で具体化されてもよいこと、及び、ここに開示されている任意の特定の構造、機能、または両方は単に代表に過ぎないことは明らかである。ここでの教示に基づいて、当業者は、ここで開示されたある態様が他の態様と無関係に実行され、２つ以上のこれらの態様が種々の方法で合成されてもよいことを認識するべきである。例えば、ここで説明された任意の数の態様を用いて、装置は実装されてもよいし、または方法は実践されてもよい。更に、他の構造、機能性、またはここで説明された態様の１つ以上に加えてまたはこれら以外での構造及び機能性を用いて実行されてもよい。上記の概念のうちのいくつかの例として、いくつかの態様では、同時チャネルはパルス繰返周波数に基づいて確立されてもよい。ある態様では、同時チャネルはパルス繰返し周波数に基づいて確立されてもよい。ある態様では、同時チャネルは時間ホッピングシーケンスに基づいて確立されてもよい。ある態様では、同時チャネルは、パルス繰返周波数、パルス位置またはオフセット、及び時間ホッピングシーケンスに基づいて確立されてもよい。
【００４０】
情報及び信号は、様々な異なる技術及び技法のうちのいずれかを使用して表され得ることを当業者は理解するであろう。例えば、以上の説明の至るところで参照され得るデータ、命令、コマンド、情報、信号、ビット、記号、及びチップは、電圧、電流、電磁波、磁場もしくは磁性粒子、光場もしくは光粒子、またはそれらの任意の組み合わせによって表され得る。
【００４１】
当業者は、種々の例示的な論理ブロック、モジュール、プロセッサ、手段、回路、及びここで開示された態様に関連して記述されたアルゴリズムステップが電子ハードウェア（例えば、デジタル実装、アナログ実装またはソースコーディングまたは他のいくつかの技術を用いて設計されてもよい２つの組み合わせ）、命令を取り込むプログラムまたは設計コードの種々の形式（ここでは利便性上、「ソフトウェア」または「ソフトウェアモジュール」と呼ぶ）、または、この両方の組み合わせとして実装されてもよいことをさらに認識するだろう。ハードウェア及びソフトウェアのこの交換可能性を明瞭に例示するために、様々な例示的な要素、ブロック、モジュール、回路、及びステップが、一般的に、それらの機能性に関して記述されている。かかる機能性がハードウェアまたはソフトウェアとして実装されるかどうかは、システム全体に課せられた特定の応用及び設計制約に依存する。当業者は、記述された機能性を、それぞれの特定の応用に関して様々な方法で実装してもよいが、かかる実装決定は、本開示範囲からの逸脱を引き起こすと解釈されるべきではない。
【００４２】
ここで開示された態様に関連して記述される種々の例示の論理ブロック、モジュール、及び回路は、集積回路（「IC」）内に実装されてもよいし、ICによって実行されてもよい。ICは、汎用プロセッサ、デジタル信号プロセッサ（DSP）、特定用途向け集積回路（ASIC）、フィールドプログラマブルゲートアレイ（FPGA）または他のプログラマブルロジックデバイス、個別のゲートまたはトランジスタロジック、個別のハードウェア構成機器、電子的コンポーネント、光学コンポーネント、機械的なコンポーネントまたはここに記述された機能を行うことを目指した任意のそれらの組み合わせを具備してもよく、またIC内部、IC外部、またはその両方に存在するコードまたは命令を実行してもよい。汎用プロセッサはマイクロプロセッサでもよいが、代わりに、プロセッサは任意の従来のプロセッサ、コントローラ、マイクロコントローラまたは状態機械でもよい。プロセッサはまた、コンピューティング装置の組み合わせ（例えば、DSPとマイクロプロセッサの組み合わせ、複数のマイクロプロセッサ、DSPコアと連動する１以上のマイクロプロセッサ、または任意の他のそのような構成）として実装されてもよい。
【００４３】
任意の開示されたプロセスにおける任意の特定の順序またはステップの階層が、サンプルアプローチの例であることは理解される。設計選択に基づいて、プロセスにおける任意の特定の順序またはステップの階層が、本開示の範囲内にありつつ再整理されてもよいことは理解される。伴う方法は、サンプル順序での種々のステップの現在の要素を請求し、現在の特定の順序またはステップの階層に限定することを意味しない。
【００４４】
ここで開示された態様に関連して記述された方法またはアルゴリズムのステップは、直接ハードウェアで、プロセッサによって実行されるソフトウェアモジュール、または２つの組み合わせにおいて具現化されてもよい。（例えば、実行可能命令及び関連するデータを含む）ソフトウェアモジュール及び他のデータは、RAMメモリ、フラッシュメモリ、ROMメモリ、EPROMメモリ、EEPROMメモリ、レジスタ、ハードディスク、リムーバブルディスク、CD−ROM、または当技術において既知のコンピュータ読取可能記憶媒体の任意の他の形式のようなデータメモリに存在してもよい。サンプル記憶媒体は、例えば（利便性上ここでは「プロセッサ」と呼ばれてもよい）コンピュータ／プロセッサのような機械につながれてもよく、そのようなプロセッサは情報（例えばコード）を記憶媒体から読み出し、記憶媒体へ書き込みすることができる。サンプル記憶媒体はプロセッサに不可欠かもしれない。プロセッサ及び記憶媒体はASIC内に存在してもよい。ASICはユーザー機器に存在してもよい。代替案では、プロセッサと記憶媒体はユーザー機器において個別部品として存在してもよい。さらに、いくつかの態様では、いずれか適切なコンピュータプログラム製品も、この開示の態様の１つ以上に関連するコードを具備するコンピュータ読取可能媒体を具備してもよい。ある態様では、コンピュータプログラム製品は包装材料を具備してもよい。
【００４５】
この発明は種々の態様に関連して記述されているが、この発明がさらなる変更ができることは理解される。本用途は、本発明の一般的な原理を用いて、本発明の任意の変形、使用または改造を含むことが意図される。さらに、本用途は、本発明が属する分野において公知の、または慣例的実施の範囲内に入るような本開示からの逸脱を含むことが意図される。
【符号の説明】
【００４６】
１００  アクセスネットワーク
１０４、１０６、１０８、１１０、１１２、１１４  アンテナ
１１６  アクセス端末（AT）
１１８、１２４  リバースリンク
１２０、１２６  フォワードリンク
１２２  アクセス端末（AT）
２１０  送信システム
２１２  データソース
２１４  送信（TX）データプロセッサ
２２０  TX  MIMOプロセッサ
２２２a〜２２２t  送信機／受信機
２２４a〜２２４t、２５２a〜２５２r  アンテナ
２３０、２７０  プロセッサ
２３２、２７２、３１０  メモリ
２３６  データソース
２３８  TXデータプロセッサ
２４２、２６０  RXデータプロセッサ
２４０  復調器
２５０  受信システム
２５２a〜２５２r  アンテナ
２５４a〜２５４r  送信機
２８０  変調器
３００  通信装置
３０２  入力デバイス
３０４  出力デバイス
３０６  制御回路
３０８  中央処理装置（CPU）
３１２  プログラムコード
３１４  送受信機
４００  アプリケーション層
４０２  第３層
４０４  第２層
４０６  第１層
５００  流れ図
５０５、５１０、５１５  ステップ
【図１】
2012257243.tif 000004
【図２】
2012257243.tif 000005
【図３】
2012257243.tif 000006
【図４】
2012257243.tif 000007
【図５】
2012257243.tif 000008
【外国語明細書】
2012257243000001.pdf